(57)【要約】【課題】他の映像表示装置の使用者の現在状況を把握することを可能とする。【解決手段】撮影画像表示処理では、撮影ユニット３０により撮影が開始され、撮影により得られた撮影画像は表示ユニット２０に表示される。そして、サーバＳＶから撮影画像の要求情報が受信されると（ステップＢ１；Ｙ）、撮影により得られた撮影画像が第２の通信ユニット５５を介してサーバＳＶに送信される（ステップＳＢ２）。【選択図】図７
2006165763.tif 000002
【特許請求の範囲】
【請求項１】
映像の光学像を投射する映像投射部と、前記映像投射部により投射された光学像を使用者の眼に導く接眼光学系とを備えて、映像の表示を行う映像表示装置において、
被写体を撮影する撮影手段と、
他の映像表示装置と通信するための第１の通信手段と、を備え、
前記第１の通信手段を介して前記撮影手段により得られた撮影画像を他の映像表示装置に送信させるとともに、他の映像表示装置で撮影された撮影画像を受信し、当該受信された撮影画像の光学像を前記映像投射部により投射させる制御手段と、
を備えることを特徴とする映像表示装置。
【請求項２】
前記第１の通信手段の通信回線とは異なる通信回線により、外部装置と通信を行う第２の通信手段を備え、
前記制御手段は、前記第２の通信手段を介して前記撮影手段により得られた撮影画像を外部装置に送信させることを特徴とする請求項１に記載の映像表示装置。
【請求項３】
音の入出力を行う音入出力手段を備え、
前記制御手段は、前記第１の通信手段を介して他の映像表示装置と撮影画像を送受信する際に、前記音入出力手段により得られた音情報も共に送受信し、他の映像表示装置から受信された撮影画像の光学像を前記映像投射部により投射する際には撮影画像とともに受信された音情報に基づいて前記音入出力手段により音を出力させることを特徴とする請求項１又は２に記載の映像表示装置。
【請求項４】
前記第１の通信手段を介して他の映像表示装置から受信された撮影画像の表示又は非表示を切り替える第１の切替表示手段を備えることを特徴とする請求項１〜３の何れか一項に記載の映像表示装置。
【請求項５】
前記第１の通信手段を介して他の映像表示装置から複数の撮影画像が受信された場合、当該複数の撮影画像を切替表示する第２の切替表示手段を備えることを特徴とする請求項１〜４の何れか一項に記載の映像表示装置。
【請求項６】
緊急通報する際に操作する緊急操作手段を備え、
前記制御手段は、前記緊急操作手段が操作されると、緊急通報情報を生成して前記撮影手段により得られた撮影画像とともに前記第１の通信手段を介して他の映像表示装置に送信させることを特徴とする請求項１〜５の何れか一項に記載の映像表示装置。
【請求項７】
前記制御手段は、前記第１の通信手段を介して、他の映像表示装置から緊急通報情報とともに撮影画像が受信されると、当該受信された撮影画像の光学像を前記映像投射部により投射させ、当該撮影画像を優先的に表示させることを特徴とする請求項６に記載の映像表示装置。
【請求項８】
ユーザの認証情報を入力する認証入力手段を備え、
前記制御手段は、前記入力された認証情報に基づいてユーザ認証を行い、ユーザが認証されない場合、映像表示装置の使用を禁止することを特徴とする請求項１〜７の何れか一項に記載の映像表示装置。
【請求項９】
各ユーザに応じた映像表示装置における設定情報を記憶する設定記憶手段を備え、
前記制御手段は、前記認証されたユーザに対応する設定情報を前記設定記憶手段から読み出し、当該設定情報に基づいて映像表示装置における設定を変更し、更新設定することを特徴とする請求項８に記載の映像表示装置。
【請求項１０】
前記認証情報は、生体認証情報であることを特徴とする請求項８又は９に記載の映像表示装置。
【発明の詳細な説明】
【技術分野】
【０００１】
本発明は、ユーザの眼前に装着されて映像を光学的に表示する映像表示装置に関する。
【背景技術】
【０００２】
ユーザの身体に装着し、携帯することができるウェアラブルディスプレイ（以下、WDという）と呼ばれる映像表示装置が開発されている。ＷＤは様々なタイプのものが開発されており、例えば頭部に装着するヘッドマウンテン型、眼鏡フレームと一体となった眼鏡型等が挙げられる。何れのタイプでも、ＷＤは携帯性に優れているため使用場所を選ばず、しかも身体に装着するためユーザは映像を見ながら作業をすることができる。
【０００３】
上記ＷＤは、その作業効率の良さから、生産、修理等の作業現場等の様々な場面での使用が考えられるが、警備システムに適用することも有効である。警備員がＷＤを装着し、警備対象のビル内の地図や巡回経路等の指示をＷＤに表示させることにより、指示をその場で受けながら警備やメンテナンスを行うことが可能となる。
【特許文献１】特開平５−３０３０５３号公報
【発明の開示】
【発明が解決しようとする課題】
【０００４】
警備は、安全性を確保するために通常２人一組等、複数人で行われることが多い。しかしながら、各警備員は同じ順路をすすむが、その通路に面する別々の部屋を各警備員が見回ったりすることもあり、常にお互いが見える位置にいるわけではない。従って、何れかの警備員の方で緊急事態等が発生した場合には、他の警備員はその事態に気付くのが遅れる可能性がある。このように、警備上のセキュリティ及び互いの安全確保を考慮すると、常時警備員同士がお互いの状況を把握できていることが好ましい。また、機器のメンテナンス作業を行う際にも、実際の作業者が見ている状態を管理センター側の指示者や共同作業者が確認できることが好ましい。実際の作業状態を確認しながら、管理センターや共同作業者から的確な指示や作業を行うことが可能となるからである。
【０００５】
本発明の課題は、他の映像表示装置の使用者の現在状況を把握することができる映像表示装置を提供することである。
【課題を解決するための手段】
【０００６】
請求項１に記載の発明は、
映像の光学像を投射する映像投射部と、前記映像投射部により投射された光学像を使用者の眼に導く接眼光学系とを備えて、映像の表示を行う映像表示装置において、
被写体を撮影する撮影手段と、
他の映像表示装置と通信するための第１の通信手段と、を備え、
前記第１の通信手段を介して前記撮影手段により得られた撮影画像を他の映像表示装置に送信させるとともに、他の映像表示装置で撮影された撮影画像を受信し、当該受信された撮影画像の光学像を前記映像投射部により投射させる制御手段と、
を備えることを特徴とする。
【０００７】
請求項２に記載の発明は、請求項１に記載の映像表示装置において、
前記第１の通信手段の通信回線とは異なる通信回線により、外部装置と通信を行う第２の通信手段を備え、
前記制御手段は、前記第２の通信手段を介して前記撮影手段により得られた撮影画像を外部装置に送信させることを特徴とする。
【０００８】
請求項３に記載の発明は、請求項１又は２に記載の映像表示装置において、
音の入出力を行う音入出力手段を備え、
前記制御手段は、前記第１の通信手段を介して他の映像表示装置と撮影画像を送受信する際に、前記音入出力手段により得られた音情報も共に送受信し、他の映像表示装置から受信された撮影画像の光学像を前記映像投射部により投射する際には撮影画像とともに受信された音情報に基づいて前記音入出力手段により音を出力させることを特徴とする。
【０００９】
請求項４に記載の発明は、請求項１〜３の何れか一項に記載の映像表示装置において、
前記第１の通信手段を介して他の映像表示装置から受信された撮影画像の表示又は非表示を切り替える第１の切替表示手段を備えることを特徴とする。
【００１０】
請求項５に記載の発明は、請求項１〜４の何れか一項に記載の映像表示装置において、
前記第１の通信手段を介して他の映像表示装置から複数の撮影画像が受信された場合、当該複数の撮影画像を切替表示する第２の切替表示手段を備えることを特徴とする。
【００１１】
請求項６に記載の発明は、請求項１〜５の何れか一項に記載の映像表示装置において、
緊急通報する際に操作する緊急操作手段を備え、
前記制御手段は、前記緊急操作手段が操作されると、緊急通報情報を生成して前記撮影手段により得られた撮影画像とともに前記第１の通信手段を介して他の映像表示装置に送信させることを特徴とする。
【００１２】
請求項７に記載の発明は、請求項６に記載の映像表示装置において、
前記制御手段は、前記第１の通信手段を介して、他の映像表示装置から緊急通報情報とともに撮影画像が受信されると、当該受信された撮影画像の光学像を前記映像投射部により投射させ、当該撮影画像を優先的に表示させることを特徴とする。
【００１３】
請求項８に記載の発明は、請求項１〜７の何れか一項に記載の映像表示装置において、
ユーザの認証情報を入力する認証入力手段を備え、
前記制御手段は、前記入力された認証情報に基づいてユーザ認証を行い、ユーザが認証されない場合、映像表示装置の使用を禁止することを特徴とする。
【００１４】
請求項９に記載の発明は、請求項８に記載の映像表示装置において、
各ユーザに応じた映像表示装置における設定情報を記憶する設定記憶手段を備え、
前記制御手段は、前記認証されたユーザに対応する設定情報を前記設定記憶手段から読み出し、当該設定情報に基づいて映像表示装置における設定を変更し、更新設定することを特徴とする。
【００１５】
請求項１０に記載の発明は、請求項８又は９に記載の映像表示装置において、
前記認証情報は、生体認証情報であることを特徴とする。
【発明の効果】
【００１６】
請求項１に記載の発明によれば、他の映像表示装置と撮影画像を交換することができるので、各映像表示装置の使用者は、他の映像表示装置の使用者の現在状況をその映像表示装置から得られた撮影画像により、容易に把握することができる。
【００１７】
請求項２に記載の発明によれば、映像表示装置と通信するための通信回線とは別回線により外部装置と通信を行い、撮影画像を送信するので、例えば管理用のサーバ等の外部装置へ撮影画像を送信することが必要になった場合でも、他の映像表示装置との通信を中止することなく、同時進行で外部装置にも撮影画像を送信することができる。よって、常時、他の映像表示装置の使用者の状況を把握しなければならない場合等には、特に有効である。また、通信回線を分けることにより、通信負荷を分散することができる。
【００１８】
請求項３に記載の発明によれば、撮影画像とともに撮影時の入力音も交換することができ、他の映像表示装置の使用者の現在状況を視覚的に把握するだけでなく、聴覚的に把握することも可能となる。
【００１９】
請求項４に記載の発明によれば、他の映像表示装置における撮影画像の表示又は非表示を切り換えることができ、他の映像表示装置の使用者の現在状況が不要な場合は非表示に切り換える等、状況に応じて表示形態を調整することができる。
【００２０】
請求項５に記載の発明によれば、他の映像表示装置が複数ある場合等には、それら複数の映像表示装置から受信された複数の撮影画像を順次切り換えて表示することができるので、状況に応じて表示形態を調整することができる。
【００２１】
請求項６に記載の発明によれば、緊急通報情報とともに撮影画像を他の映像表示装置に送信するので、他の映像表示装置の使用者に緊急事態を発生した旨を伝えることができるとともに、撮影画像によりその現在状況を知らせることができる。
【００２２】
請求項７に記載の発明によれば、緊急通報情報とともに受信された撮影画像を優先的に表示させるので、他の映像表示装置の使用者に緊急事態が発生した場合には、その旨を早期に知ることができるとともに、撮影画像によりその現在状況を容易に把握することができる。
【００２３】
請求項８に記載の発明によれば、映像表示装置の起動時にはユーザ認証を行うので、映像表示装置に対するセキュリティを向上させることができる。
【００２４】
請求項９に記載の発明によれば、認証されたユーザに対応する設定に更新設定するので、映像表示装置を容易に各ユーザに応じた仕様に設定することができる。
【００２５】
請求項１０に記載の発明によれば、生体認証情報を用いてユーザ認証を行うので、本人認証の確実性を高めることができる。
【発明を実施するための最良の形態】
【００２６】
まず、構成を説明する。
図１に、本実施の形態における映像表示システム１のシステム構成を示す。
図１に示すように、映像表示システム１は、監視端末（表示装置）が接続されているサーバＳＶと、映像表示装置Ａ〜Ｃとが通信ネットワークＮを介して通信可能に構成されている。また、各映像表示装置Ａ〜Ｃ間では、通信ネットワークＮを介することなく、直接通信できるように構成されている。
【００２７】
以下、各構成装置について説明する。
サーバＳＶは、警備状況を一元的に管理するコントロールセンターに設置される管理用サーバである。サーバＳＶは、コントロールセンターで監視するための監視端末を備え、映像表示装置Ａ〜Ｃと通信を行って各映像表示装置Ａ〜Ｃから受信された撮影画像を当該監視端末に表示させる。
また、サーバＳＶは、大容量のＨＤＤ（Hard Disk Drive）を備えて、このＨＤＤに、映像表示装置Ａ〜Ｃを使用する各警備員（ユーザ）の認証情報に対応付けて、各ユーザに応じた映像表示装置Ａ〜Ｃにおける各種設定情報（設定情報についての詳細は後述する）を記憶した設定ファイルを記憶している。すなわち、ＨＤＤは本実施形態における設定記憶手段である。サーバＳＶは、映像表示装置Ａ〜Ｃからユーザの認証情報を受信すると、当該認証情報に対応する設定情報を前記設定ファイルから読み出し、映像表示装置Ａ〜Ｃに送信する。
【００２８】
管理者は、このサーバＳＶにより監視端末に表示された各映像表示装置Ａ〜Ｃの撮影画像を観察することにより、各警備員の警備状況を把握することができるとともに、警備の指示や緊急通報を行う際には、警備用画像や緊急通報画像をサーバＳＶを介して各映像表示装置Ａ〜Ｃに送信させることができる。ここで、警備用画像とは、警備員への指示情報や参考情報を含む画像をいい、例えば警備対象の建物内の見取り図や、警備の順路を示す地図等が挙げられる。また、緊急通報画像とは、緊急事態が発生した旨の通知情報を含む画像をいい、例えば緊急事態が発生した場所や集合場所を示す全体地図や、警備員に対する指示を示すメッセージを含む画像等が挙げられる。
【００２９】
なお、通信ネットワークＮは、電話回線網、ＩＳＤＮ回線網、専用線、移動体通信網、通信衛星回線、ＣＡＴＶ回線網等の各種回線網を適用可能であり、それらを接続するインターネットサービスプロバイダや基地局等を含む。
【００３０】
次に、映像表示装置Ａ〜Ｃについて説明するが、各映像表示装置Ａ〜Ｃの構成は同一であるので、映像表示装置Ａを代表としてその構成について説明する。
図２に、映像表示装置Ａを示す。
図２に示すように、映像表示装置Ａは、表示ユニット２０が設けられた眼鏡フレームと、コントロールボックス５０とを備えて構成されている。
【００３１】
眼鏡フレームは、左右対称に設けられたレンズ１１Ｒ、１１Ｌ、鼻あて１２Ｒ、１２Ｌ、ユーザ頭部への保持部材であるテンプル１３Ｒ、１３Ｌ、ブリッジ１５を備えて構成されている。
表示ユニット２０は、映像投射部２０ａ、接眼光学系２０ｂを備えて構成されている。映像投射部２０ａはレンズ１１Ｒに設けられ、当該レンズ１１Ｒにはプリズム２４、ホログラフィック光学素子（以下、ＨＯＥ；Holographic Optical Elementという）２５が一体に形成されて、映像投射部２０ａから発せられた映像の光学像（以下、映像光という）をユーザの眼前に導く接眼光学系２０ｂを構成している。
【００３２】
図３に、映像投射部２０ａ、接眼光学系２０ｂの内部構成を示し、映像の表示方法について説明する。なお、映像には、静止画像、動画像の何れも含まれるものとする。
図３に示すように、映像投射部２０ａは、ＬＥＤ（Light Emitting Diode）２１、コンデンサレンズ２２、ＬＣＤ（Liquid Crystal Display）２３を備えて構成され、接眼光学系２０ｂは、プリズム２４、ＨＯＥ２５を備えて構成されている。
【００３３】
ＬＥＤ２１は、ＬＣＤ２３を照明するための発光源であり、コンデンサレンズ２２はＬＥＤ２１が発した光をＬＣＤ２３の全面に均一に導くための照明光学系である。ＬＣＤ２３は、映像を表示する透過型の表示装置であり、ＬＥＤ２１からの照明光を受けてプリズム２４側に映像光を発する。
【００３４】
上記映像投射部２０ａは筐体により覆われ、この筐体によりプリズム２４が挟まれている。プリズム２４は、透明なガラス又は樹脂等からなり、平板状に形成されたものである。プリズム２４は、右眼用のレンズ１１Ｒの一部に埋め込まれており、その下端部にはＨＯＥ２５が形成されている。ＨＯＥ２５は、プリズム２４とレンズ１１Ｒをホログラム基板として、その間に挟まれるように配置されている。ＨＯＥ２５は、ホログラム基板面に対して平行でない干渉縞からなる２つの干渉縞パターンを有しており、この干渉縞パターンの回折作用によって、ＨＯＥ２５に入射した光は回折反射してユーザの眼Ｅに導かれる。
【００３５】
すなわち、ＬＣＤ２３から発せられた映像光は、プリズム２４により反射を複数回繰り返しながらＨＯＥ２５に導かれると、ＨＯＥ２５により回折して平行光に近い光束となってユーザの眼Ｅに入射する。これにより、ユーザに対して映像を表示することができる。
【００３６】
次に、図２を参照して、他の構成部について説明する。
テンプル１３Ｒには、撮影ユニット３０が取り付けられており、この撮影ユニット３０はケーブルを介して表示ユニット２０及びコントロールボックス５０に接続されている。
【００３７】
撮影ユニット３０は、光学レンズ、ＣＣＤ（Charge Coupled Device）等の光電変換素子、Ａ／Ｄ変換部等から構成される撮影手段であり、光学レンズを介して入力される被写体像をＣＣＤにより光電変換して画像信号を生成する。そして、Ａ／Ｄ変換部によりアナログ画像信号からデジタル画像データを得て、当該デジタル画像データをコントロールボックス５０内の制御ユニット（制御ユニットについては後述する）に出力する。これを連続的に行うことにより、動画像、つまり撮影映像のデータを出力することができる。
【００３８】
コントロールボックス５０は、イヤホン４１、マイク４２の音入出力ユニット４０を備えている。また、そのボックス本体には電源をＯＮ／ＯＦＦする電源ボタン５３ａ、表示ユニット２０により表示する映像画面の切り替え操作を行うための画面切替ボタン５３ｂ、緊急通報時に押下する緊急操作手段である緊急通報ボタン５３ｃが設けられている。また、これらボタン５３ａ〜５３ｃとともに、ユーザの指紋画像を入力するための認証入力手段である指紋入力部５３ｄが設けられている。
【００３９】
次に、図４を参照して映像表示装置Ａの機能的構成について説明する。
図４に示すように、映像表示装置Ａは、表示ユニット２０、撮影ユニット３０、音入出力ユニット４０及びコントロールボックス５０を備えて構成されており、コントロールボックス５０内には、制御ユニット５１、画像処理ユニット５２、入力ユニット５３、第１の通信ユニット５４、第２の通信ユニット５５、メモリ５６の各部が内蔵されている。
なお、図４では、映像表示装置Ａと、他の映像表示装置Ｂ、Ｃ又はサーバＳＶとの通信形態の相違を明らかにするために、映像表示装置Ｂの機能的構成についても示している。上述したように、映像表示装置Ｂは映像表示装置Ａと同一構成であるので、各構成部には映像表示装置Ａの各部と同一の符号を付す。
【００４０】
以下、各部について説明するが、表示ユニット２０及び撮影ユニット３０については、上述したのここでは説明を省略する。
【００４１】
音入出力ユニット４０は、イヤホン４１、マイク４２を備えた音入出力手段であり、イヤホン４１における音出力及びマイク４２における音入力の処理を行う。音入出力ユニット４０は、制御ユニット５１から入力された音データを音信号に変換してイヤホン４１により音出力させるとともに、マイク４２により入力された音信号を音データに変換して制御ユニット５１に出力する。
【００４２】
制御ユニット５１は、ＣＰＵ（Central Processing Unit）やＲＡＭ（Random Access Memory）等を備えて構成され、メモリ５６に記憶されている各種制御プログラムに従って映像表示装置Ａの各部を集中制御する。
【００４３】
例えば、画面切替ボタン５３ｂの操作に応じて、表示ユニット２０により表示する画面を切替表示させたり、緊急通報ボタン５３ｃの操作に応じて緊急通報情報を生成して、第１の通信ユニット５４により他の映像表示装置Ｂ、Ｃに送信させたりする。
【００４４】
画像処理ユニット５２は、入力された画像データに対して、濃度変換処理、色変換処理、縮小／拡大処理等の各種画像処理を施す。
また、指紋の画像データが入力されると、画像処理ユニット５２は、当該画像データを生体認証情報（以下、ＢＭ：BioMetoricsという）に変換する変換処理を行う。
【００４５】
ＢＭとは、認証時に指紋の照合を行うための特徴点データであり、例えば指紋模様における端点や分岐点等の特徴点の位置や方向、各特徴点の位置関係等をデータ化したものである。ＢＭへの変換処理では、まず指紋画像から各特徴点を特定し、特定した各特徴点の位置や方向、各特徴点間の位置関係を求めてＢＭとして生成する。このようなＢＭを用いて照合し認証を行うことにより、指紋画像そのものを用いて照合を行う場合と比較して本人認証を容易にかつ迅速に行うことができる。なお、本実施形態では、ＢＭとして指紋を適用したが、これに限らず、生体に関するもので本人認証が可能なものであれば、瞳の虹彩や音声、静脈パターン等をＢＭとして適用することとしてもよい。
【００４６】
入力ユニット５３は、電源ボタン５３ａ、画面切替ボタン５３ｂ、緊急通報ボタン５３ｃ等の各種指示ボタンを備えて構成され、操作されたボタンに対応する操作信号を生成して制御ユニット５１に出力する。
【００４７】
また、入力ユニット５３は、指紋入力部５３ｄを備え、この指紋入力部５３ｄを介して入力された指紋の画像データを制御ユニット５１に出力する。指紋入力部５３ｄは、例えばコンタクトガラスの下部に発光部やＣＣＤ等の光電変換素子、Ａ／Ｄ変換器が形成されてなり、コンタクトガラスにユーザの指が載置されたことを検知して発光を行い、その反射光をＣＣＤにより光電変換して指紋の画像信号を得る。この画像信号は、Ａ／Ｄ変換器によりデジタルデータに変換され、制御ユニット５１に出力される。
【００４８】
第１の通信ユニット５４は、各映像表示装置Ａ〜Ｃ間で通信を行うための第１の通信手段である。本実施形態では、第１の通信ユニット５４の通信方式としてBluetoothを適用した例を説明するが、他の映像表示装置Ｂ、Ｃと直接通信を行うことができるのであれば、赤外線方式、無線ＬＡＮ（例えば、ＩＥＥＥ８０２．１１ａ／ｂ／ｇ等）等、その他の方式を適用することとしてもよい。
【００４９】
第２の通信ユニット５５は、サーバＳＶと通信ネットワークＮを介して通信を行うための第２の通信手段である。第２の通信ユニット５５は、例えば携帯電話を介して通信ネットワークＮに接続する等、第１の通信ユニット５４とは異なる通信回線でサーバＳＶと通信を行う。
【００５０】
メモリ５６は、各種制御プログラム及びプログラムの実行に必要なパラメータや処理結果等のデータを記憶している。
また、メモリ５６は、ユーザ認証を行うための認証ファイルを記憶している。認証ファイルには、ユーザの氏名、所属部署等のユーザ情報に対応付けて、予めそのユーザが登録した指紋のＢＭが記憶されている。
【００５１】
ここで、図５を参照して、通信時における各部の動作について説明する。図５（ａ）は、サーバＳＶと通信を行う場合の動作を示すフローチャートであり、図５（ｂ）は他の映像表示装置Ｂ、Ｃと通信を行う場合の動作を示すフローチャートである。
【００５２】
まず、サーバＳＶとの通信する場合について説明する。
図５（ａ）に示すように、サーバＳＶに対して撮影画像等を送信する際には、撮影ユニット３０から制御ユニット５１に撮影画像データが出力され、当該撮影画像データは画像処理ユニット５２において画像処理されて、映像表示装置Ａにおける表示用、コントロールセンター用の２種類の処理画像データが生成される。生成された各処理画像データは、表示用が表示ユニット２０に出力された表示され、コントロールセンター用が第２の通信ユニット５５に出力されて、第２の通信ユニット５５によりサーバＳＶに送信される。
【００５３】
一方、サーバＳＶから警備用画像等を受信する際には、第２の通信ユニット５５を介して受信された警備用画像が制御ユニット５１に出力される。その後、画像処理ユニット５２により、縮小する、他の画像との重ね合わせる等の表示用の画像処理が施され、制御ユニット５１を介して表示ユニット２０に出力される。表示ユニット２０は、入力された処理画像データに基づいて画像表示を行う。
【００５４】
次に、他の映像表示装置Ｂ、Ｃと通信を行う場合について説明する。
図５（ｂ）に示すように、他の映像表示装置Ｂ、Ｃに対して撮影画像等を送信する際には、サーバＳＶの場合と同様に撮影ユニット３０により得られた撮影画像データから表示用、他の映像表示装置Ｂ、Ｃへの送信用の２種類の処理画像データが生成される。そして、送信用の処理画像データが第１の通信ユニット５４により他の映像表示装置Ｂ、Ｃに送信される。
【００５５】
他の映像表示装置Ｂ、Ｃから、映像表示装置Ｂ、Ｃにおける撮影画像等を受信する際にも、第１の通信ユニット５４を介してそのデータを受信し、サーバＳＶの場合と同様に表示用の画像処理を施した後、表示ユニット２０により画像表示を行う。
【００５６】
次に、上記映像表示システム１の動作について説明する。
警備を開始する際には、まず警備時に使用する映像表示装置Ａ〜Ｃをそれぞれ使用する警備員（ユーザ）が装着し、その電源ボタン５３ａを操作して電源ＯＮにする。
以下、電源ＯＮ時に映像表示装置Ａ〜Ｃにおいて実行される認証処理について、図６を参照して説明する。なお、映像表示装置Ａの動作例について説明するが、他の映像表示装置Ｂ、Ｃでも同様の処理が行われる。
【００５７】
映像表示装置Ａでは、電源ボタン５３ａにより電源ＯＮが指示操作されると、指紋入力部５３ｄにおける指紋読取の待機が待機される。そして、ユーザにより指紋読取部５３ｄに指が載置されると、映像表示装置Ａでは、その指紋の読取処理が実行され、読み取られた指紋画像のデータがユーザの認証情報として映像表示装置Ａ内に入力される（ステップＡ１）。指紋画像のデータは、画像処理部５２においてＢＭに変換され、制御ユニット５１に出力される。
【００５８】
制御ユニット５１では、入力されたＢＭと、メモリ５６内の認証ファイルに予め記憶されている各ユーザのＢＭ（以下、登録ＢＭという）とが照合され、その照合結果に基づいてユーザ認証が行われる（ステップＡ２）。入力されたＢＭが、登録ＢＭの何れとも一致しなかった場合（ステップＡ２；非認証）、ユーザは正規のユーザではないと判断され、映像表示装置Ａの使用が禁止されるとともに、認証エラーの通知が行われる（ステップＡ３）。認証エラーの通知は、認証エラーの通知メッセージを表示ユニット２０により表示させることとしてもよいし、認証エラーを示すブザー音をイヤホン４１から出力することとしてもよい。
【００５９】
一方、入力されたＢＭが登録ＢＭの何れかと一致した場合（ステップＡ２；認証）、制御ユニット５１の制御により、映像表示装置Ａの使用が許可され、警備上必要なアプリケーション等が起動される（ステップＡ４）。次いで、認証されたユーザのユーザ情報が第２の通信ユニット５５を介してサーバＳＶに送信される（ステップＡ５）。
【００６０】
サーバＳＶでは、受信されたユーザ情報に基づいて、予め登録されている全てのユーザの中から映像表示装置Ａで認証されたユーザが特定され（ステッＡ６）、当該特定されたユーザ（以下、特定ユーザという）に対応する設定情報が設定ファイルから読み出されて、映像表示装置Ａに送信される（ステップＡ７）。
【００６１】
サーバＳＶから設定情報のデータが受信された映像表示装置Ａでは、当該設定情報に従って、撮影条件、表示条件等のパラメータが変更され、更新設定される（ステップＡ８）。例えば、サーバＳＶにおいて、ユーザＸに対しては、メイン画像を全画面表示とし、サブ画像をその１／４サイズで表示する等の表示条件に関する設定情報が登録されていた場合、映像表示装置Ａにおいてもその表示条件に設定される。これにより、ユーザ毎に映像表示装置Ａにおける各種設定をカスタマイズすることができる。
【００６２】
一方、サーバＳＶでは、設定情報が送信された後、警備用画像が映像表示装置Ａに送信される（ステップＡ９）。
映像表示装置Ａでは、サーバＳＶから受信された警備用画像が画像処理ユニット５２により画像処理された後、表示ユニット２０により表示されて（ステップＡ１０）、本処理を終了する。
以上のようにして、映像表示装置Ａ〜Ｃを正常に起動させると、各ユーザは警備に向かうことができる。
【００６３】
次に、図７を参照して、起動後、各映像表示装置Ａ〜Ｃにおいて実行される撮影画像表示処理について説明する。なお、認証処理時と同様に、映像表示装置Ａを代表として撮影画像表示処理の流れについて説明するが、映像表示装置Ｂ、Ｃにおいても同様の処理が行われるものである。
【００６４】
図７に示す撮影画像表示処理では、撮影ユニット３０により撮影が開始され、撮影により得られた撮影画像は表示ユニット２０に表示される。なお、撮影画像を表示させるか、警備用画像を表示させるか、或いはその両方を同時に表示させるかは、ユーザが選択可能である。そして、サーバＳＶから撮影画像の要求情報が受信されると（ステップＢ１；Ｙ）、撮影により得られた撮影画像が第２の通信ユニット５５を介してサーバＳＶに送信される（ステップＳＢ２）。このとき、撮影画像とともにマイク４２により集音された音情報をサーバＳＶに送信することとしてもよい。
サーバＳＶでは、各映像表示装置Ａ〜Ｃから受信された撮影画像が監視端末により表示される。なお、一定時間毎に映像表示装置Ａの方から自動的にサーバＳＶに対し、撮影画像を送信する構成としてもよい。
【００６５】
一方、サーバＳＶから撮影画像が要求されていない場合（ステップＢ１；Ｎ）、第１の通信ユニット５４において他の映像表示装置Ｂ、Ｃの検知が行われ、映像表示装置Ｂ、Ｃが第１の通信ユニット５４の通信範囲に存在すると、当該他の映像表示装置Ｂ、Ｃに対して撮影画像の要求情報が送信される（ステップＢ３）。なお、通信時には、通信先の映像表示装置Ｂ、Ｃと、各映像表示装置Ａ〜Ｃに予め与えられているＩＤ情報の交換（送受信）行い、通信先の映像表示装置Ｂ、Ｃを特定することとする。また、ＩＤ情報により通信先が特定できない場合は、その通信を中止し、不特定の通信先との通信を防止することとする。
【００６６】
他の映像表示装置Ｂ、Ｃでは、映像表示装置Ａからの要求情報に応じて、映像表示装置Ｂ、Ｃで撮影された撮影画像が映像表示装置Ａに送信される。このとき、撮影時に集音された音情報もともに送信されることとしてもよい。
映像表示装置Ａでは、第１の通信ユニット５４を介して他の映像表示装置Ｂ、Ｃから撮影画像が受信されると、当該撮影画像が画像処理ユニット５２により、サブ画像用に縮小され、メイン画像の画像に重ねられた後、表示ユニット２０により表示される（ステップＢ４）。また、撮影画像とともに音情報が受信されている場合は、この音情報に基づいて音入出力ユニット４０によりイヤホン４１に撮影時の音が出力される。
【００６７】
例えば、図８（ａ）に示すように、映像表示装置Ａの起動時当初にはサーバＳＶから受信された警備用画像、或いは映像表示装置Ａにおける撮影画像がメイン画像ｄ１として全画面表示されているが、他の映像表示装置Ｂ、Ｃから撮影画像が受信されると、図８（ｂ）に示すように、メイン画像ｄ１上に、他の映像表示装置Ｂ、Ｃにおける撮影画像、サーバＳＶから受信された警備用画像がサブ画像ｄ２として重ねられた分割画面が表示される。
【００６８】
そして、画面切替ボタン５３ｂが押下されると（ステップＢ５；Ｙ）、その押下回数に応じて、制御ユニット５１により表示画面が切替表示される（ステップＢ６）。例えば、図８（ｂ）に示す分割画面が表示された状態で画面切替ボタン５３ｂが押下されると、画面切替ボタン５３ｂが押下される毎に、分割画面→映像表示装置Ｂにおける撮影画像（全画面表示）→映像表示装置Ｃにおける撮影画像（全画面表示）→サーバＳＶから受信された警備用画像（全画面表示）と、順にサブ画像であった画像がメイン画像に切り替えられる。そして、さらに画面切替ボタン５３ｂが押下されると、他の映像表示装置Ｂ、Ｃの撮影画像及び警備用画像が非表示にされ、映像表示装置Ａにおける撮影画像をメイン画像とする画面（図８（ａ）参照）に切り替えられる。ここで、もう一度画面切替ボタン５３ｂが押下されると、元の分割画面（図８（ｂ）参照）に切り替えられる。
【００６９】
各映像表示装置Ａ〜Ｃのユーザは、必要に応じて表示画面を切替ながら、警備を行う。そして、警備中に緊急事態が発生した場合は、緊急通報ボタン５３ｃを押下する。
【００７０】
次に、上述した撮影画像表示処理時に緊急事態が発生した場合に、映像表示装置Ａ〜Ｃで行われる緊急表示処理について、図９を参照して説明する。
図９に示す緊急表示処理では、映像表示装置Ａ、Ｂ、Ｃにおいて、それぞれの撮影画像が表示されているところ（ステップＣ１１、Ｃ１２）、映像表示装置Ａにおいて緊急通報ボタン５３ｃが押下操作されると（ステップＣ２）、映像表示装置Ａでは、緊急事態が発生した旨を示す緊急通報情報が生成され、当該緊急通報情報とともに撮影ユニット３０により得られた撮影画像のデータが他の映像表示装置Ｂ、Ｃに送信される（ステップＣ３）。
【００７１】
他の映像表示装置Ｂ、Ｃでは、映像表示装置Ａから受信された緊急通報情報に応じて、緊急通報情報とともに受信された映像表示装置Ａにおける撮影画像が優先的に表示ユニット２０により表示される（ステップＣ４）。
【００７２】
例えば、映像表示装置Ｂを例に説明すると、図１０（ａ）に示すように、平常時には、映像表示装置Ｂにおける撮影画像がメイン画像ｄ３として表示されていた場合でも、映像表示装置Ａから緊急通報情報が受信されると、図１０（ｂ）に示すように、映像表示装置Ａにおける撮影画像が優先的にメイン画像ｄ４として表示される。このとき、緊急通報情報とともに受信された撮影画像が他の表示画像より目立って表示されるのであれば、図１０（ｂ）に示すように全画面表示でもよいし、図１１に示すようにサブ画像としてそれまで表示されていた画像上に重ねるように表示することとしてもよい。
【００７３】
なお、コントロールセンターのサーバＳＶから緊急通報情報を全映像表示装置Ａ〜Ｃに発して、緊急通報画像を配信することとしてもよい。この場合、図１１に示すように、各映像表示装置Ａ〜Ｃでは、サーバＳＶから受信された緊急通報情報に応じて、緊急通報情報とともに受信された緊急通報画像ｄ６がそれまで表示されていた画像ｄ５上に重ねて優先的に表示される。
【００７４】
以上のように、本実施形態によれば、各映像表示装置Ａ〜Ｃに撮影ユニット３０を設け、映像表示装置Ａでは、この撮影ユニット３０により得られた撮影画像を他の映像表示装置Ｂ、Ｃからの要求に応じて送信する。逆に、他の映像表示装置Ｂ、Ｃに撮影画像を要求し、得られた撮影画像を表示する。よって、各映像表示装置Ａ〜Ｃにおいて撮影された撮影画像を交換することができ、各映像表示装置Ａ〜Ｃの使用者は、他の映像表示装置Ａ〜Ｃの使用者の現在状況を容易に把握することができる。
【００７５】
また、撮影画像とともに撮影時の入力音を送信するので、他の映像表示装置Ｂ、Ｃの使用者の現在状況を、視覚的に把握するだけでなく、聴覚的に把握することも可能となる。
【００７６】
また、映像表示装置Ａ〜Ｃの起動時には、ＢＭによりユーザ認証を行うので、映像表示装置Ａ〜Ｃに対するセキュリティを向上させることができる。さらに、認証されたユーザに対応する設定情報をサーバＳＶから取得し、当該設定情報に従って映像表示装置Ａ〜Ｃにおける各種環境設定を行うので、ユーザ自身が設定操作を行う手間を省くことができる。また、容易にユーザ仕様に設定することができるので、どのユーザがどの映像表示装置Ａ〜Ｃを使用しても使い勝手が良い。
【００７７】
さらに、映像表示装置Ａ〜Ｃ間では、第１の通信ユニット５４により通信し、コントロールセンターのサーバＳＶと通信する際には、第２の通信ユニット５５により通信するので、他の映像表示装置Ａ〜Ｃにおける撮影画像を表示すると同時に、サーバＳＶに撮影画像を送信する等、並行で処理を進めることができる。警備時等には、常時ペア（或いは、グループ）となった相手の現在状況を表示できる構成が好ましいため、サーバＳＶに撮影画像を送信する間、他の映像表示装置Ｂ、Ｃの撮影画像を観察できない等の状況は避けるべきである。また、第１の通信ユニット５４及び第２の通信ユニット５５の通信回線を別回線とすることにより、通信負荷を分散することができるという効果も得られる。
【００７８】
また、画面切替ボタン５３ｂにより、他の映像表示装置Ｂ、Ｃにおける撮影画像の表示／非表示を切り替えることができるので、ペアとなった相手が目の届く位置にいる等、相手の撮影画像が不要であるときは、非表示にすることができる。また、他の映像表示装置がＢ、Ｃと複数ある場合は、その複数の映像表示装置Ｂ、Ｃにおける撮影画像を順次切替表示することができるので、状況に応じた表示形態に調整することができる。
【００７９】
また、緊急通報ボタン５３ｃにより、緊急通報ボタン５３ｃを押下したユーザが所有する映像表示装置Ａにおける撮影画像を、他の映像表示装置Ｂ、Ｃにおいて優先的に表示させるので、ボタン操作だけで離れた位置にいる他のユーザに緊急事態が発生した旨を知らせることができる。また、他のユーザは、映像表示装置Ｂ、Ｃに表示された映像表示装置Ａの撮影画像により、緊急事態が発生したユーザの現在状況を容易に把握することができる。
【００８０】
なお、本実施形態における映像表示装置Ａ〜Ｃは、本発明を適用した一例に過ぎない。
上記実施形態では、警備に関して説明したが、複数人数でメンテナンス作業を行ったり、工事作業を行うような場合においても全く同様の機能で本発明を適用することができる。例えば、非熟練者であっても熟練者からの指示を常に得られるようになったり、センターで同時に作業進行を監視したり、突発現象が発生した場合に緊急連絡を行ったりすることができる。
【００８１】
また、上述した実施形態では、眼鏡フレームに映像投射部２０ａ及び接眼光学系２０ｂを備えた眼鏡型の映像表示装置Ａ〜Ｃを例に説明したが、これに限らず、頭部装着型等、他のタイプの映像表示装置であっても、本発明を適用可能である。
【００８２】
また、右眼のレンズ１１Ｒのみに映像投射部２０ａ及び接眼光学系２０ｂを搭載した単眼式の映像表示装置Ａ〜Ｃを例に説明したが、左眼のレンズ１１Ｌにも映像投射部２０ａ及び接眼光学系２０ｂを設けた両眼式であってもよい。この場合、両眼ともに同じ映像を表示させることとしてもよいし、右眼側には映像表示装置Ｂにおける撮影画像、左眼側には映像表示装置Ｃにおける撮影画像を表示させる等、異なる映像を表示させることとしてもよい。
【００８３】
また、ユーザ認証時にＢＭを使用して、本人認証の確実性を高めることとしたが、単にパスワード等の認証情報であってもよいし、パスワードとＢＭを組み合わせることとしてもよい。
【００８４】
また、サーバＳＶ側で各ユーザに応じた映像表示装置Ａ〜Ｃにおける設定情報が記憶された設定ファイルを有し、映像表示装置Ａ〜Ｃ側で認証ユーザに対応する設定情報をダウンロードする構成としたが、映像表示装置Ａ〜Ｃのメモリ５６を設定記憶手段として設定ファイルを記憶させる構成としてもよい。これにより、ダウンロードする工程を省くことができ、処理効率が良い。
【００８５】
また、脈拍等のユーザの生体情報を測定する機器を映像表示装置Ａ〜Ｃに備えて、当該測定機器により測定された生体情報を各映像表示装置Ａ〜Ｃ間で交換することとしてもよい。これにより、各ユーザの生存確認ができる。
【図面の簡単な説明】
【００８６】
【図１】本実施の形態における映像表示システム１のシステム構成を示す図である。
【図２】映像表示装置Ａを示す図である。
【図３】映像投射部２０ａ及び接眼光学系２０ｂを示す図である。
【図４】映像表示装置Ａ、Ｂの内部構成を示す図である。
【図５】映像表示装置Ａの各部における信号の流れを示す図であり、（ａ）は外部装置であるサーバＳＶとの通信時における信号の流れを示し、（ｂ）は他の映像表示装置Ｂ、Ｃとの通信時における信号の流れを示す。
【図６】映像表示装置Ａにおいて実行される認証処理を説明するフローチャートである。
【図７】映像表示装置Ａにおいて実行される撮影画像表示処理を説明するフローチャートである。
【図８】撮影画像の表示例を示す図であり、（ａ）は映像表示装置Ａの撮影画像の表示例を示し、（ｂ）は他の映像表示装置Ｂ、Ｃにおける撮影画像及びサーバＳＶからの警備用画像がともに表示された例を示す。
【図９】映像表示装置Ａにおいて実行される緊急通報処理を説明するフローチャートである。
【図１０】撮影画像の表示例を示す図であり、（ａ）は平常時、（ｂ）は緊急通報時に表示される撮影画像を示す図である。
【図１１】緊急通報時に、サーバＳＶから受信された緊急通報画像の表示例を示す図である。
【符号の説明】
【００８７】
１    映像表示システム
ＳＶ    サーバ
Ａ〜Ｃ    映像表示装置
１１Ｒ、１１Ｌ    眼鏡レンズ
１３Ｒ、１３Ｌ    テンプル
２０    表示ユニット
２０ａ    映像投射部
２０ｂ    接眼光学系
３０    撮影ユニット
４０    音入出力ユニット
５０    コントロールボックス
５１    制御ユニット
５２    画像処理ユニット
５３    入力ユニット
５３ｂ    画面切替ボタン
５３ｃ    緊急通報ボタン
５３ｄ    指紋入力部
５４    第１の通信ユニット
５５    第２の通信ユニット
５６    メモリ
【図１】
2006165763.tif 000003
【図２】
2006165763.tif 000004
【図３】
2006165763.tif 000005
【図４】
2006165763.tif 000006
【図５】
2006165763.tif 000007
【図６】
2006165763.tif 000008
【図７】
2006165763.tif 000009
【図８】
2006165763.tif 000010
【図９】
2006165763.tif 000011
【図１０】
2006165763.tif 000012
【図１１】
2006165763.tif 000013